(57)【要約】【課題】  画素の動作マージンを確保しつつ、消費電力を低減した表示装置を提供する。【解決手段】  表示装置１０は、赤色、緑色、青色、白色の画素Ａ１〜Ａ４を備え、各画素は、電流の供給を受けて発光する有機ＥＬ素子ＯＥＬと、有機ＥＬ素子ＯＥＬへの供給電流を制御する駆動ＴＦＴ２とをそれぞれ含む。白色の画素Ａ４以外の画素における駆動ＴＦＴ２の電流駆動能力が、白色の画素Ａ４における駆動ＴＦＴ２の電流駆動能力よりも大きくなるように駆動ＴＦＴ２のチャネル幅Ｗとチャネル長Ｌを設定する。【選択図】  図２
2006308796.tif 000002
【特許請求の範囲】
【請求項１】
電流の供給を受けて発光する自発光素子と、前記自発光素子への供給電流を制御する電流駆動素子と、をそれぞれ含む画素を備える表示装置であって、
白色を含む複数の表示色の画素を備え、
白色以外の画素における前記電流駆動素子の電流駆動能力が、白色の画素における前記電流駆動素子の電流駆動能力よりも大きいことを特徴とする表示装置。
【請求項２】
白色の画素の開口面積が、白色以外の画素の開口面積よりも大きいことを特徴とする請求項１に記載の表示装置。
【請求項３】
前記電流駆動素子は、薄膜トランジスタであり、少なくともチャネル長、チャネル幅の一方を異ならせることによって、白色以外の画素における前記薄膜トランジスタの電流駆動能力を、白色の画素における前記薄膜トランジスタの電流駆動能力よりも大きく設定することを特徴とする請求項１または２に記載の表示装置。
【請求項４】
白色以外の画素における前記薄膜トランジスタのピンチオフ電圧の絶対値が、白色の画素における前記薄膜トランジスタのピンチオフ電圧の絶対値よりも小さくなるように、各色の前記薄膜トランジスタの電流駆動能力を設定することを特徴とする請求項３に記載の表示装置。
【請求項５】
各色の画素の開口面積比は、各色の画素における前記自発光素子に供給される平均電流の比に応じて設定されることを特徴とする請求項１から４のいずれかに記載の表示装置。
【請求項６】
前記電流駆動素子の電流駆動能力は、色ごとに異なることを特徴とする請求項１から５のいずれかに記載の表示装置。
【請求項７】
前記複数の表示色は、赤色と緑色と青色と白色の４色であることを特徴とする請求項１から６のいずれかに記載の表示装置。
【請求項８】
前記自発光素子が発する色は白色であり、他の表示色はカラーフィルタを用いてそれぞれ変換されることを特徴とする請求項１から７のいずれかに記載の表示装置。
【請求項９】
前記自発光素子は、有機エレクトロルミネッセンス素子であることを特徴とする請求項１から８のいずれかに記載の表示装置。
【請求項１０】
電流の供給を受けて発光する自発光素子と、前記自発光素子への供給電流を制御する電流駆動素子と、をそれぞれ含む画素を備える表示装置であって、
複数の表示色の画素を備え、
各色の画素の動作マージンの差が小さくなるように、前記電流駆動素子の電流駆動能力が設定されることを特徴とする表示装置。
【発明の詳細な説明】
【技術分野】
【０００１】
本発明は、表示装置に関し、特に、複数の表示色の画素を含む表示装置に関するものである。
【背景技術】
【０００２】
近年、有機ＥＬ（Ｅｌｅｃｔｒｏ  Ｌｕｍｉｎｅｓｃｅｎｃｅ）ディスプレイの開発が進んでおり、例えば携帯電話機に有機ＥＬディスプレイを採用することが検討されている。有機ＥＬディスプレイの駆動方式としては、走査電極とデータ電極を用いて時分割駆動するパッシブマトリクス駆動方式と、各画素にＴＦＴ（薄膜トランジスタ；Ｔｈｉｎ  Ｆｉｌｍ  Ｔｒａｎｓｉｓｔｏｒ）を配置して、各画素の発光を１垂直走査期間に亘って維持するアクティブマトリクス駆動方式とがある。
【０００３】
アクティブマトリクス駆動方式は、目的の画素のみを確実に動作させることができるので、パッシブマトリクス駆動方式と比較して、高画質、高コントラストを達成でき、また、応答速度が高速であるという利点がある。
【０００４】
有機ＥＬディスプレイでは、カラー表示するために、通常、赤色、緑色、青色の３色の画素を用いるが、近年、白色表示や、中間色表示を行う際の消費電力を低減する方法として、赤色、緑色、青色に、白色を加えた４色で映像を表示する方法が提案されている（たとえば、特許文献１参照）。赤色、緑色、青色の３色で映像を表示する場合、各色を同時に発光させなければならない白色表示を行う場合に最も消費電力は大きくなるが、白色発光の有機ＥＬ素子を用いることで、消費電力を低減することができる。
【特許文献１】米国特許出願公開第２００２／０１８６２１４号明細書
【発明の開示】
【発明が解決しようとする課題】
【０００５】
ところで、ＴＦＴを用いて有機ＥＬ素子を駆動する場合、有機ＥＬを精度良く、安定した輝度で所望の輝度に発光させるために、動作マージンを考慮する必要がある。図１を用いて動作マージンについて説明する。図１（ａ）は、ＴＦＴを用いた有機ＥＬ素子ＯＥＬの駆動回路を示す図である。図１（ｂ）は、ＴＦＴのＩ−Ｖ特性曲線と、有機ＥＬ素子ＯＥＬのＩ−Ｖ特性曲線を示す図である。グラフの横軸は、ＴＦＴのソースの電位Ｖｄｄに対するノードＡの相対電位である。グラフの縦軸は、ＴＦＴのドレイン・ソース間電流Ｉｄｓおよび有機ＥＬ素子ＯＥＬの電流である。
【０００６】
ＴＦＴのゲート電極に映像信号電圧Ｖｓｉｇが印可され、ＴＦＴのゲート・ソース間に電圧Ｖｇｓが発生すると、ドレイン・ソース間電流Ｉｄｓが流れる。ドレイン・ソース間電流Ｉｄｓが有機ＥＬ素子ＯＥＬに流れると、有機ＥＬ素子ＯＥＬは発光する。
【０００７】
図１（ｂ）の曲線４０は、ＴＦＴにあるゲート・ソース間電圧Ｖｇｓを与えたときの、ドレイン・ソース間電圧Ｖｄｓと、ドレイン・ソース間電流Ｉｄｓの関係を示す。Ｖｄｓの絶対値を大きくしたとき、Ｉｄｓは増加するが、ある電圧を境として、Ｖｄｓの絶対値を大きくしてもＩｄｓはほとんど変化しなくなる。Ｖｄｓの絶対値を大きくするとＩｄｓが増加する領域を線形領域４６といい、Ｖｄｓの絶対値を大きくしてもＩｄｓがほとんど変わらない領域を飽和領域４４という。飽和領域４４でのＩｄｓを飽和電流Ｉｄｓｓという。飽和電流Ｉｄｓｓは、ＴＦＴのゲート電圧を変化させることによって変化させることができる。線形領域４６から飽和領域４４に変わる境目の電圧をピンチオフ電圧Ｖｐという。
【０００８】
図１（ｂ）の曲線４２は、有機ＥＬ素子ＯＥＬのＩ−Ｖ特性曲線である。曲線４０と曲線４２の交点が図１（ａ）の回路の動作点であり、ＴＦＴのゲート電圧を変化させ、Ｉｄｓが変化すると、動作点は曲線４２上を移動する。動作点の電圧を動作点電圧Ｖｑという。
【０００９】
動作マージンとは、ピンチオフ電圧Ｖｐと動作点電圧Ｖｑの差である。有機ＥＬ素子を駆動する場合、通常、動作点が飽和領域４４に位置するように駆動回路を設計する。この際、動作点電圧Ｖｑは、ピンチオフ電圧Ｖｐからできるだけ離れていること、すなわち、動作マージンができるだけ広いことが望ましい。たとえば、電源回路の生成する電圧がばらつくなどの理由により、駆動電圧（Ｖｄｄ−ＣＶ）が小さくなった場合、曲線４２が曲線４８のように右側にシフトし、動作点が飽和領域４４から外れ、線形領域４６に位置してしまう可能性がある。また、経時的な有機ＥＬ素子ＯＥＬの特性の変動により、動作点が線形領域４６に位置してしまう可能性もある。動作点が線形領域４６にある場合、ほんのわずかな駆動電圧（Ｖｄｄ−ＣＶ）の変化や、温度変化による有機ＥＬ素子ＯＥＬの特性曲線の変化によって、Ｉｄｓが大きく変化してしまうので、有機ＥＬ素子ＯＥＬを精度良く、安定した輝度で発光させることができない。
【００１０】
白色の画素を用いた有機ＥＬディスプレイでは、白色の画素は、カラーフィルタが不要であることから発光効率が他の色に比べて高く、白色以外の画素よりも小さい電流で所望の輝度に発光させることができる。有機ＥＬ素子ＯＥＬに流す電流を小さくする場合、曲線５４に示すようなＴＦＴのＩ−Ｖ特性曲線となるので、動作マージンは広くなる。そのため、白色の画素の動作マージンは、白色以外の画素の動作マージンよりも広くなる傾向にある。
【００１１】
動作マージンは、駆動電圧（Ｖｄｄ−ＣＶ）を高くすることで広げることができる。各色の画素の動作マージンが異なる場合、全ての色の画素で安定した発光を得るためには、駆動電圧（Ｖｄｄ−ＣＶ）は、最も動作マージンの狭い色の画素に合わせて設定する必要がある。各色の画素の動作マージンの差が大きい場合、十分な動作マージンを確保している色の画素に対してまで高い駆動電圧（Ｖｄｄ−ＣＶ）を印可することになり、有機ＥＬディスプレイ全体の消費電力が増大する。
【００１２】
本発明は、こうした状況に鑑みてなされたものであり、その目的は、画素の動作マージンを確保しつつ、消費電力を低減した表示装置を提供することにある。
【課題を解決するための手段】
【００１３】
上記課題を解決するために、本発明のある態様の表示装置は、電流の供給を受けて発光する自発光素子と、自発光素子への供給電流を制御する電流駆動素子と、をそれぞれ含む画素を備える表示装置であって、白色を含む複数の表示色の画素を備え、白色以外の画素における電流駆動素子の電流駆動能力が、白色の画素における電流駆動素子の電流駆動能力よりも大きいことを特徴としている。
【００１４】
この態様によると、白色以外の画素における電流駆動素子の電流駆動能力を、白色の画素における電流駆動素子の電流駆動能力よりも大きくなるように設定することによって、白色以外の画素の動作マージンを広げることができ、白色の画素の動作マージンとの差を小さくできる。その結果、全ての画素の電流駆動素子の電流駆動能力が同一である場合と比較して、高い駆動電圧を供給する必要がなくなるので、表示装置全体の低消費電力化に有効である。また、白色以外の動作マージンが広がることによって、精度良く、安定して有機ＥＬ素子を発光させることができる。
【００１５】
本発明の別の態様もまた、表示装置である。この表示装置は、電流の供給を受けて発光する自発光素子と、自発光素子への供給電流を制御する電流駆動素子と、をそれぞれ含む画素を備える表示装置であって、複数の表示色の画素を備え、各色の画素の動作マージンの差が小さくなるように、電流駆動素子の電流駆動能力が設定される。
【００１６】
この態様によると、複数の表示色の画素の動作マージンの差が小さくなるように、電流駆動素子の電流駆動能力が設定される。そのため、動作マージンの差が大きかった場合には動作マージンの狭い色にあわせて駆動電圧を高く設定する必要があったものが、動作マージンの差を小さくすることで、高い駆動電圧を供給する必要がなくなり、表示装置全体の低消費電力化に有効である。
【発明の効果】
【００１７】
本発明によれば、画素の動作マージンを確保しつつ、消費電力を低減した表示装置を提供することができる。
【発明を実施するための最良の形態】
【００１８】
＜第１の実施の形態＞
図２は、第１の実施の形態に係る表示装置の画素レイアウトを示す図である。本実施形態の表示装置１０は、図２に示すように、赤色の画素Ａ１、緑色の画素Ａ２、青色の画素Ａ３、及び白色の画素Ａ４の、４色の画素を含む。横に並んだ４つの画素Ａ１、Ａ２、Ａ３、及びＡ４により、画像の構成単位１２が構成される。
【００１９】
白色の画素Ａ４を設けることにより、白色を表示する際に、赤、緑、青の全ての画素を点灯させるのではなく、白色の画素のみを点灯させればよいので、消費電力を低減させることができる。表示装置１０において、画像の構成単位１２がマトリクス状に配置される。
【００２０】
図２に示すように、それぞれの画素Ａ１、Ａ２、Ａ３、及びＡ４は、行方向に延びて配置されたゲート線ＳＬと、列方向に延びて配置されたデータ線ＤＬとに囲まれた領域に形成される。それぞれの画素Ａ１、Ａ２、Ａ３、及びＡ４は、有機ＥＬ素子ＯＥＬと、駆動ＴＦＴ２と、スイッチングＴＦＴ１と、保持容量ＳＣとを備える。有機ＥＬ素子ＯＥＬは、電流の供給を受けて発光する自発光素子であり、駆動ＴＦＴ２は、自発光素子への供給電流を制御する電流駆動素子である。
【００２１】
図３は、図２に示した表示装置１０における１つの画素Ａ１、Ａ２、Ａ３、及びＡ４の等価回路図である。スイッチングＴＦＴ１は、ｎチャネル型のＴＦＴ、駆動ＴＦＴ２は、ｐチャネル型のＴＦＴである。スイッチングＴＦＴ１のゲートには、ゲート線ＳＬが接続され、そのドレインには、データ線ＤＬが接続されている。また、スイッチングＴＦＴ１のソースは、駆動ＴＦＴ２のゲートに接続されている。また、スイッチングＴＦＴ１のソースは、保持容量ＳＣの一端側の電極にも接続されている。保持容量ＳＣの他端側の電極には、電位Ｖｓｓが与えられている。駆動ＴＦＴ２のソースには、電源供給線ＰＶＤＤから電位Ｖｄｄが与えられている。また、そのドレインは有機ＥＬ素子ＯＥＬのアノードに接続されている。有機ＥＬ素子ＯＥＬのカソードには、電位ＣＶが与えられている。ＶｄｄとＣＶの電位差（Ｖｄｄ−ＣＶ）が、画素の駆動電圧となる。
【００２２】
スイッチングＴＦＴ１のゲートに接続されたゲート線ＳＬが低レベルとなっているとき、スイッチングＴＦＴ１はオン状態となるため、データ線ＤＬからスイッチングＴＦＴ１のドレインに映像信号電圧Ｖｓｉｇが印可されると、Ｖｓｉｇが保持容量ＳＣよって保持される。Ｖｓｉｇの値を変化させることによって、駆動ＴＦＴ２のドレイン・ソース間電流Ｉｄｓを変化させることができる。Ｉｄｓは、有機ＥＬ素子ＯＥＬの駆動電流となる。有機ＥＬ素子ＯＥＬは、駆動ＴＦＴ２を介して駆動電流Ｉｄｓを供給され、所望の輝度で発光する。
【００２３】
図４は、第１の実施の形態の表示装置１０の断面を模式的に示す。図４に示すように、赤、緑、青の３色は、白色で発光する有機ＥＬ発光層１７からの白色光を、赤、青、緑のカラーフィルタ１６によって色変換して得られる。カラーフィルタ１６の透過率は、カラーフィルタ１６の構造や、材料によって異なるため、発光効率は、色によってそれぞれ異なる。白色は、有機ＥＬ発光層１７から発光された白色光をカラーフィルタ１６を透過させず、そのまま使用するので、他の色と比較して発光効率が高い。実施の形態の表示装置１０は、この４色を用いてフルカラー表示を行う。
【００２４】
上述したように、有機ＥＬ素子ＯＥＬは、駆動ＴＦＴ２を介して駆動電流Ｉｄｓを供給され、駆動電流Ｉｄｓの値に応じて輝度を変化させる。よって、駆動電流Ｉｄｓを制御する駆動ＴＦＴ２は、高画質な映像を表示するために、映像信号電圧Ｖｓｉｇの値に応じて精度良く駆動電流Ｉｄｓを制御できることが必要である。
【００２５】
駆動電流Ｉｄｓの制御性を高めるためには、動作マージンを広く確保しなければならない。動作マージンとは、図１を用いて説明したように、ピンチオフ電圧Ｖｐと動作点電圧Ｖｑの差のことである。動作マージンが狭いと、ほんのわずかな駆動電圧（Ｖｄｄ−ＣＶ）の変化や、温度変化による有機ＥＬ素子ＯＥＬの特性曲線の変化によって、駆動電流Ｉｄｓが大きく変化してしまうので、有機ＥＬ素子ＯＥＬを精度良く、安定した輝度で発光させることができない。
【００２６】
白色の画素Ａ４は、カラーフィルタを透過させないことから発光効率が他の色に比べて高く、他の色の画素よりも小さい電流で所望の輝度に発光させることができる。有機ＥＬ素子ＯＥＬに流す電流を小さくする場合、図１を用いて説明したように、動作マージンは広くなる。そのため、白色の画素Ａ４の動作マージンは、白色以外の画素Ａ１〜Ａ３の動作マージンよりも広くなる傾向にある。
【００２７】
動作マージンは、駆動電圧（Ｖｄｄ−ＣＶ）を高くすることで広げることができる。各色の画素の動作マージンが異なる場合、全ての色の画素で安定した発光を得るためには、駆動電圧（Ｖｄｄ−ＣＶ）は、最も動作マージンの狭い色の画素に合わせて設定する必要がある。そのため、動作マージンの広い画素と狭い画素とが混在している場合、狭い画素に合わせて電位Ｖｄｄを高く設定したり、電位ＣＶを低く設定することで、十分な動作マージンを確保している色の画素に対してまで高い駆動電圧（Ｖｄｄ−ＣＶ）を印可することになり、表示装置１０全体の消費電力が増大する。
【００２８】
そこで、第１の実施の形態においては、白色以外の画素Ａ１〜Ａ３における駆動ＴＦＴ２の電流駆動能力が、白色の画素Ａ４における駆動ＴＦＴ２の電流駆動能力よりも大きくなるように設定する。この場合、白色以外の画素Ａ１〜Ａ３の動作マージンを広げることができ、白色Ａ４の画素の動作マージンとの差が小さくなる。その結果、動作マージンの狭い色に合わせて高い駆動電圧（Ｖｄｄ−ＣＶ）を供給する必要がなくなるので、表示装置１０全体の低消費電力化に有効である。また、白色以外の画素Ａ１〜Ａ３の動作マージンが広がることによって、安定して有機ＥＬ素子を発光させることができる。
【００２９】
駆動ＴＦＴ２の電流駆動能力は、少なくともチャネル長、チャネル幅の一方を異ならせることによって、色ごとに異ならせることができる。図５（ａ）は、駆動ＴＦＴ２の構造を模式的に示す平面図である。図５（ｂ）は、駆動ＴＦＴ２の構造を模式的に示す図である。ＴＦＴのドレイン・ソース間電流Ｉｄｓは、
Ｉｄｓ＝μＣｏｘＷ／Ｌ｛（Ｖｇｓ−Ｖｔｈ）−Ｖｄｓ／２｝  …式１
で表される。ここで、μはキャリア移動度、Ｃｏｘはゲート絶縁膜容量、Ｖｄｓはドレイン・ソース間の電圧、Ｖｔｈはしきい値電圧、ＷはＴＦＴのチャネル幅、ＬはＴＦＴのチャネル長である。式１から分かるように、Ｉｄｓは、チャネル幅Ｗに比例し、チャネル長Ｌに反比例する。すなわち、チャネル幅Ｗと、チャネル長Ｌを適宜設定することによって、駆動ＴＦＴ２の電流駆動能力を変化させることができる。
【００３０】
駆動ＴＦＴ２の電流駆動能力を大きくするためには、式１から分かるように、チャネル幅Ｗをできるだけ大きくし、チャネル長Ｌをできるだけ小さくすればよい。しかしながら、チャネル幅Ｗを大きくしすぎると、駆動ＴＦＴ２の面積増大につながり、画素の開口面積が減少するため望ましくない。また、チャネル長Ｌを小さくしすぎることは、駆動ＴＦＴ２のＩ−Ｖ特性曲線において、飽和電流Ｉｄｓｓが不安定になることにつながる。
【００３１】
このように、駆動ＴＦＴ２の電流駆動能力を大きくすることによって動作マージンを広げることと、画素の開口面積が減少することは、トレードオフの関係にあるから、両者のバランスを考慮して、白色以外の画素における駆動ＴＦＴ２の電流駆動能力を設定する。また、発光効率が高く、白色以外の画素よりも駆動ＴＦＴ２の電流駆動能力が小さくても十分な広さの動作マージンを確保できる白色の画素については、開口面積が減少する点などを考慮し、駆動ＴＦＴ２の電流駆動能力を白色以外の画素よりも小さく設定する。
【００３２】
第１の実施の形態の１例を具体的に数値を設定して示す。図６は、第１の実施の形態に係る駆動ＴＦＴ２のＩ−Ｖ特性曲線と有機ＥＬ素子ＯＥＬのＩ−Ｖ特性曲線を示す図である。第１の実施の形態においては、白色以外の画素Ａ１〜Ａ３における駆動ＴＦＴ２の電流駆動能力が、白色の画素Ａ４における駆動ＴＦＴ２の電流駆動能力よりも大きくなるように、駆動ＴＦＴ２のチャネル長Ｌとチャネル幅Ｗを設定する。図６では、白色以外の画素Ａ１〜Ａ３の駆動ＴＦＴ２を、チャネル長Ｌ＝４５μｍ、チャネル幅Ｗ＝４．７μｍと設定し、白色の画素Ａ４の駆動ＴＦＴ２を、チャネル長Ｌ＝５０μｍ、チャネル幅Ｗ＝４μｍと設定した。なお、第１の実施の形態では、各色の画素の開口面積比は、赤：緑：青：白＝１：１：１：１である。
【００３３】
図２には、チャネル長、チャネル幅を白色の画素と白色以外の画素とで異ならせた状態を示している。既述したように、画素Ａ１〜Ａ３の駆動ＴＦＴ２のチャネル長Ｌ１を４５μｍ、チャネル幅を４．７μｍとし、画素Ａ４の駆動ＴＦＴ２のチャネル長Ｌ２（５０μｍ）、チャネル幅Ｗ２（４μｍ）とも異ならせている。これにより、白色画素以外の駆動ＴＦＴ２の電流駆動能力を、白色画素の駆動ＴＦＴ２の電流駆動能力よりも大きくしている。なお、チャネル幅Ｗ１とＷ２を同一にして、チャネル長Ｌ１をＬ２よりも短くすることで、白色が素以外の駆動ＴＦＴ２の電流駆動能力を、白色画素の駆動ＴＦＴ２の電流駆動能力より大きくしてもよい。同様に、チャネル長Ｌ１とＬ２を同一にして、チャネル幅Ｗ１をＷ２よりも大きくすることで、白色画素以外の駆動ＴＦＴ２の電流駆動能力を、白色画素のＴＦＴ２の電流駆動能力より大きくしてもよい。
【００３４】
図６において、曲線６０は、有機ＥＬ素子ＯＥＬのＩ−Ｖ特性曲線である。各色の画素の開口面積が等しいから、有機ＥＬ素子ＯＥＬのＩ−Ｖ特性曲線は、各色ともに同じＩ−Ｖ特性曲線になる。グラフの横軸は、駆動ＴＦＴ２のソースの電位Ｖｄｄに対するノードＡの相対電位（ノードＡの電位−Ｖｄｄ、またはＶｄｄを０ＶとしたときのノードＡの相対電位）である。また、Ｖｄｄ−ＣＶ間の電位差は１４Ｖに設定している。グラフの縦軸は、駆動ＴＦＴ２のドレイン・ソース間電流Ｉｄｓおよび有機ＥＬ素子ＯＥＬの電流である。
【００３５】
曲線６２は、赤色の画素Ａ１の駆動ＴＦＴ２のＩ−Ｖ特性曲線、曲線６４は、緑色と青色の画素Ａ２、Ａ３の駆動ＴＦＴ２のＩ−Ｖ特性曲線、曲線６６は、白色の画素Ａ４の駆動ＴＦＴ２のＩ−Ｖ特性曲線である。それぞれのＩ−Ｖ特性曲線は、駆動ＴＦＴのゲートに供給するＶｓｉｇの値を適宜設定することで得られる。上述したように、各色の発光効率はそれぞれ異なるので、所望の輝度を得るのに要する電流もそれぞれ異なる。第１の実施の形態では、ある同じ値の輝度を得るのに要する電流を、赤色＝２．６６μＡ、緑色＝１．３８μＡ、青色＝１．３８μＡ、白色＝１．２５μＡと設定する。これは、ある同じ値の輝度を得るのに、たとえば赤色は２．６６μＡを要し、緑色は１．３８μＡを要するということを意味する。
【００３６】
上述したように、動作マージンとは、ピンチオフ電圧Ｖｐと動作点電圧Ｖｑの差のことである。曲線６０と曲線６２の交点が赤色の動作点６８、曲線６０と曲線６４の交点が緑色と青色の動作点７０、曲線６０と曲線６６の交点が白色の動作点７２である。また、ピンチオフ電圧とは、駆動ＴＦＴ２のＩ−Ｖ特性曲線が線形領域から飽和領域に変わる境目の電圧であるが、本明細書においては、ピンチオフ電圧Ｖｐは、飽和電流Ｉｄｓｓから５％電流が低下したときの電圧として説明する。
【００３７】
図６に示すように、赤色の動作マージンは、１．５６Ｖ（Ｖｐ＝−２．８４Ｖ、Ｖｑ＝−４．４０Ｖ）、緑色と青色の動作マージンは、３．０５Ｖ（Ｖｐ＝−２．２５Ｖ、Ｖｑ＝−５．３Ｖ）、白色の動作マージンは、３．１Ｖ（Ｖｐ＝−２．３７Ｖ、Ｖｑ＝−５．４７Ｖ）である。赤色の動作マージンが最も狭く、白色の動作マージンとの差は、１．５４Ｖである。
【００３８】
動作マージンの改善効果を示すために、各色の画素Ａ１〜Ａ４の駆動ＴＦＴ２の電流駆動能力を全て等しく設定した場合（比較例１とよぶ）について示す。図７は、比較例１の駆動ＴＦＴ２のＩ−Ｖ特性曲線と有機ＥＬ素子ＯＥＬのＩ−Ｖ特性曲線を示す図である。比較例１では、各色の画素Ａ１〜Ａ４の駆動ＴＦＴ２を、チャネル長Ｌを５０μｍ、チャネル幅Ｗを４μｍと設定している。なお、各色の画素の開口面積比は、赤：緑：青：白＝１：１：１：１である。
【００３９】
図７において、曲線７６は、赤色の画素Ａ１の駆動ＴＦＴ２のＩ−Ｖ特性曲線、曲線７８は、緑色と青色の画素Ａ２、Ａ３の駆動ＴＦＴ２のＩ−Ｖ特性曲線である。曲線６６は、白色の画素Ａ４の駆動ＴＦＴ２のＩ−Ｖ特性曲線であるが、駆動ＴＦＴ２の電流駆動能力が図６で示した例と同じため、図６と同一のＩ−Ｖ特性曲線となっている。曲線６０は、有機ＥＬ素子ＯＥＬのＩ−Ｖ特性曲線であるが、画素の開口面積比は図６で示した例と同じため、図６と同一のＩ−Ｖ特性曲線となっている。
【００４０】
曲線６０と曲線７６の交点が赤色画素Ａ１の動作点８２、曲線６０と曲線７８の交点が緑色と青色の画素Ａ２、Ａ３の動作点８４、曲線６０と曲線６６の交点が白色の画素Ａ４の動作点８６である。なお、各色の駆動ＴＦＴ２の飽和電流Ｉｄｓｓは、図６に示したものと同一である。
【００４１】
図７に示すように、比較例１の場合、赤色の画素Ａ１の動作マージンは、１．１４Ｖ（Ｖｐ＝−３．２７Ｖ、Ｖｑ＝−４．４１Ｖ）、緑色と青色の画素Ａ２、Ａ３の動作マージンは、２．８Ｖ（Ｖｐ＝−２．４８Ｖ、Ｖｑ＝−５．２８Ｖ）、白色の画素Ａ４の動作マージンは、３．１Ｖ（Ｖｐ＝−２．３７Ｖ、Ｖｑ＝−５．４７Ｖ）である。赤色の画素Ａ１の動作マージンが最も狭く、白色の画素Ａ４の動作マージンとの差は、１．９６Ｖである。図６に示した各色の動作マージンと、図７に示した各色の動作マージンとを比較すると、白色画素Ａ４の動作マージンと、白色以外の画素Ａ１〜Ａ４の動作マージンとの差は、１．９６Ｖから１．５４Ｖに小さくなっている。
【００４２】
以上のように、第１の実施の形態においては、白色以外の画素Ａ１〜Ａ３の駆動ＴＦＴ２の電流駆動能力を白色の画素Ａ４の駆動ＴＦＴ２の電流駆動能力よりも大きくすることによって、白色以外の画素Ａ１〜Ａ３の駆動ＴＦＴ２のピンチオフ電圧Ｖｐの絶対値が小さくなる方向にシフトする。すなわち、動作マージンが広がり、白色の画素Ａ４と白色以外の画素Ａ１〜Ａ３との間で動作マージンの差が小さくなる。その結果、動作マージンが狭かったために駆動電圧（Ｖｄｄ−ＣＶ）を高く設定する必要がなくなり、低消費電力化に有効である。また、動作マージンが広がることによって精度よく、安定して有機ＥＬ素子ＯＥＬを発光させることができる。
【００４３】
＜第２の実施の形態＞
本発明の第２の実施の形態について説明する。第２の実施の形態では、赤色、緑色、青色、白色の画素の開口面積がそれぞれ異なる点において、第１の実施の形態と異なる。第１の実施の形態と同一の構成要素については、同様の記号を用いて説明する。
【００４４】
有機ＥＬ素子ＯＥＬの寿命は、素子に印可される電流密度に依存することが知られている。各画素の開口面積が同じである場合、発光効率の悪い画素において所定の輝度を得るためには、他の発光効率の良い画素よりも大きな電流を流す必要がある。そのため、発光効率の悪い画素においては、有機ＥＬ素子ＯＥＬの寿命が短くなりやすい。
【００４５】
映像を表示する際の各色の使用頻度は、色によって異なるから、各色の画素の有機ＥＬ素子ＯＥＬに供給される平均的な電流の比に応じて開口面積を異ならせることによって、各色の画素の寿命を平滑化し、表示装置１０としての寿命を延ばすことができる。
【００４６】
第２の実施の形態の１例を具体的に数値を設定して示す。図８は、第２の実施の形態に係る駆動ＴＦＴ２のＩ−Ｖ特性曲線と有機ＥＬ素子ＯＥＬのＩ−Ｖ特性曲線を示す図である。各色の画素の開口面積比を、赤：緑：青：白＝５．３：１．９：１：４．４と設定した。第２の実施の形態においても、白色以外の画素Ａ１〜Ａ３における駆動ＴＦＴ２の電流駆動能力が、白色の画素Ａ４における駆動ＴＦＴ２の電流駆動能力よりも大きくなるように、駆動ＴＦＴ２のチャネル長Ｌとチャネル幅Ｗを設定する。ここでは、白色以外の画素Ａ１〜Ａ３の駆動ＴＦＴ２を、チャネル長Ｌ＝４０μｍ、チャネル幅Ｗ＝６μｍと設定し、白色の画素Ａ４の駆動ＴＦＴ２を、チャネル長Ｌ＝５０μｍ、チャネル幅Ｗ＝４μｍと設定した。
【００４７】
図８において、曲線８８は赤色の画素Ａ１の有機ＥＬ素子ＯＥＬのＩ−Ｖ特性曲線、曲線９２は緑色の画素Ａ２の有機ＥＬ素子ＯＥＬのＩ−Ｖ特性曲線、曲線９４は青色の画素Ａ３の有機ＥＬ素子ＯＥＬのＩ−Ｖ特性曲線、曲線９０は白色の画素Ａ４の有機ＥＬ素子ＯＥＬのＩ−Ｖ特性曲線である。各色の画素の開口面積が異なるから、有機ＥＬ素子ＯＥＬのＩ−Ｖ特性曲線は、各色ごとに異なったＩ−Ｖ特性曲線になる。
【００４８】
曲線９６は、赤色の画素Ａ１の駆動ＴＦＴ２のＩ−Ｖ特性曲線、曲線９８は、緑色と青色の画素Ａ２、Ａ３の駆動ＴＦＴ２のＩ−Ｖ特性曲線、曲線１００は、白色の画素Ａ４の駆動ＴＦＴ２のＩ−Ｖ特性曲線である。曲線８８と曲線９６の交点が赤色の画素Ａ１の動作点１０２、曲線９２と曲線９８の交点が緑色の画素Ａ２の動作点１０６、曲線９４と曲線９８の交点が青色の画素Ａ３の動作点１０８、曲線９０と曲線１００の交点が白色の画素Ａ４の動作点１０４である。
【００４９】
図８に示すように、赤色の画素Ａ１の動作マージンは、２．６４Ｖ（Ｖｐ＝−２．４８Ｖ、Ｖｑ＝−５．１２Ｖ）、緑色の画素Ａ２の動作マージンは、２．５９Ｖ（Ｖｐ＝−１．９６Ｖ、Ｖｑ＝−４．５５Ｖ）、青色の画素Ａ３の動作マージンは、１．６４Ｖ（Ｖｐ＝−１．９６Ｖ、Ｖｑ＝−３．６Ｖ）、白色の画素Ａ４の動作マージンは、３．５４Ｖ（Ｖｐ＝−２．３７Ｖ、Ｖｑ＝−５．９１Ｖ）である。青色の画素Ａ３動作マージンが最も狭く、白色の動作マージンとの差は、１．９Ｖである。
【００５０】
動作マージンの改善効果を示すために、各色の画素Ａ１〜Ａ４の駆動ＴＦＴ２の電流駆動能力を全て等しく設定した場合（比較例２とよぶ）について示す。図９は、比較例２の駆動ＴＦＴ２のＩ−Ｖ特性曲線と有機ＥＬ素子ＯＥＬのＩ−Ｖ特性曲線を示す図である。比較例２では、各色の画素Ａ１〜Ａ４の駆動ＴＦＴ２を、チャネル長Ｌを５０μｍ、チャネル幅Ｗを４μｍと設定している。各色の画素の開口面積比は、赤：緑：青：白＝５．３：１．９：１：４．４である。
【００５１】
図９において、曲線８８は赤色の画素Ａ１の有機ＥＬ素子ＯＥＬのＩ−Ｖ特性曲線、曲線９２は緑色の画素Ａ２の有機ＥＬ素子ＯＥＬのＩ−Ｖ特性曲線、曲線９４は青色の画素Ａ３の有機ＥＬ素子ＯＥＬのＩ−Ｖ特性曲線、曲線９０は白色の画素Ａ４の有機ＥＬ素子ＯＥＬのＩ−Ｖ特性曲線である。画素の開口面積比は図８で示した例と同じため、図８と同一のＩ−Ｖ特性曲線となっている。
【００５２】
曲線１１８は、赤色の画素Ａ１の駆動ＴＦＴ２のＩ−Ｖ特性曲線、曲線１２０は、緑色と青色の画素Ａ２、Ａ３の駆動ＴＦＴ２のＩ−Ｖ特性曲線である。曲線１００は、白色の画素Ａ４の駆動ＴＦＴ２のＩ−Ｖ特性曲線であるが、駆動ＴＦＴ２の電流駆動能力が図８で示した例と同じため、図８と同一のＩ−Ｖ特性曲線となっている。曲線８８と曲線１１８の交点が赤色の画素Ａ１の動作点１２４、曲線９２と曲線１２０の交点が緑色の画素Ａ２の動作点１２８、曲線９４と曲線１２０の交点が青色の画素Ａ３の動作点１３０、曲線９０と曲線１００の交点が白色の画素Ａ４の動作点１２６である。
【００５３】
図９に示すように、赤色の画素Ａ１の動作マージンは、１．８９Ｖ（Ｖｐ＝−３．２７Ｖ、Ｖｑ＝−５．１６Ｖ）、緑色の画素Ａ２の動作マージンは、２．０９Ｖ（Ｖｐ＝−２．４８Ｖ、Ｖｑ＝−４．５７Ｖ）、青色の画素Ａ３の動作マージンは、１．１５Ｖ（Ｖｐ＝−２．４８Ｖ、Ｖｑ＝−３．６３Ｖ）、白色の画素Ａ４の動作マージンは、３．５４Ｖ（Ｖｐ＝−２．３７Ｖ、Ｖｑ＝−５．９１Ｖ）である。青色の画素Ａ３動作マージンが最も狭く、白色の動作マージンとの差は、２．３９Ｖである。
【００５４】
図８に示した各色の動作マージンと図９に示した各色の動作マージンとを比較すると、白色画素Ａ４の動作マージンと、白色以外の画素Ａ１〜Ａ４の動作マージンとの差は、２．３９Ｖから１．９Ｖに小さくなっている。
【００５５】
以上のように、第２の実施の形態においても、白色以外の画素Ａ１〜Ａ３の駆動ＴＦＴ２の電流駆動能力を白色の画素Ａ４の駆動ＴＦＴ２の電流駆動能力よりも大きくすることによって、白色以外の画素Ａ１〜Ａ３の駆動ＴＦＴ２のピンチオフ電圧Ｖｐの絶対値が小さくなる方向にシフトする。すなわち、動作マージンが広がり、白色の画素Ａ４と白色以外の画素Ａ１〜Ａ３との間で動作マージンの差が小さくなる。その結果、動作マージンが狭かったために駆動電圧（Ｖｄｄ−ＣＶ）を高く設定する必要がなくなり、低消費電力化に有効である。
【００５６】
また、動作マージンが広がることによって精度よく、安定して有機ＥＬ素子ＯＥＬを発光させることができる。また、各色の画素ごとに開口面積を変えているので、有機ＥＬ素子の寿命が平滑化され、表示装置１０の寿命を延ばすことができる。
【００５７】
＜第３の実施の形態＞
本発明の第３の実施の形態について説明する。第３の実施の形態では、白色以外の画素Ａ１〜Ａ３のピンチオフ電圧の絶対値が、白色の画素Ａ４のピンチオフ電圧の絶対値よりも小さくなるように駆動ＴＦＴ２の電流駆動能力を設定する。なお、第１の実施の形態と同一の構成要素については、同様の記号を用いて説明する。
【００５８】
第３の実施の形態の１例を具体的に数値を設定して示す。図１０は、第３の実施の形態に係る駆動ＴＦＴ２のＩ−Ｖ特性曲線と有機ＥＬ素子ＯＥＬのＩ−Ｖ特性曲線を示す図である。各色の画素の開口面積比は、第２の実施の形態と同様に、赤：緑：青：白＝５．３：１．９：１：４．４と設定した。また、白色以外の画素Ａ１〜Ａ３の駆動ＴＦＴ２を、チャネル長Ｌ＝３５μｍ、チャネル幅Ｗ＝７μｍと設定し、白色の画素Ａ４の駆動ＴＦＴ２を、チャネル長Ｌ＝５０μｍ、チャネル幅Ｗ＝４μｍと設定した。
【００５９】
図１０において、曲線８８は赤色の画素Ａ１の有機ＥＬ素子ＯＥＬのＩ−Ｖ特性曲線、曲線９２は緑色の画素Ａ２の有機ＥＬ素子ＯＥＬのＩ−Ｖ特性曲線、曲線９４は青色の画素Ａ３の有機ＥＬ素子ＯＥＬのＩ−Ｖ特性曲線、曲線９０は白色の画素Ａ４の有機ＥＬ素子ＯＥＬのＩ−Ｖ特性曲線である。画素の開口面積比は図８、図９で示した例と同じため、図８、図９と同一のＩ−Ｖ特性曲線となっている。
【００６０】
曲線１３８は、赤色の画素Ａ１の駆動ＴＦＴ２のＩ−Ｖ特性曲線、曲線１４０は、緑色と青色の画素Ａ２、Ａ３の駆動ＴＦＴ２のＩ−Ｖ特性曲線である。曲線１００は、白色の画素Ａ４の駆動ＴＦＴ２のＩ−Ｖ特性曲線であるが、駆動ＴＦＴ２の電流駆動能力が図８、図９で示した例と同じため、図８、図９と同一のＩ−Ｖ特性曲線となっている。曲線８８と曲線１３８の交点が赤色の画素Ａ１の動作点１４４、曲線９２と曲線１４０の交点が緑色の画素Ａ２の動作点１４８、曲線９４と曲線１４０の交点が青色の画素Ａ３の動作点１５０、曲線９０と曲線１００の交点が白色の画素Ａ４の動作点１４６である。
【００６１】
図１０に示すように、赤色の画素Ａ１の動作マージンは、２．８４Ｖ（Ｖｐ＝−２．２７Ｖ、Ｖｑ＝−５．１１Ｖ）、緑色の画素Ａ２の動作マージンは、２．７５Ｖ（Ｖｐ＝−１．８Ｖ、Ｖｑ＝−４．５５Ｖ）、青色の画素Ａ３の動作マージンは、１．８１Ｖ（Ｖｐ＝−１．８Ｖ、Ｖｑ＝−３．６１Ｖ）、白色の画素Ａ４の動作マージンは、３．５４Ｖ（Ｖｐ＝−２．３７Ｖ、Ｖｑ＝−５．９１Ｖ）である。青色の画素Ａ３の動作マージンが最も狭く、白色の画素Ａ４の動作マージンとの差は、１．７３Ｖである。
【００６２】
図１０に示した各色の動作マージンと図８に示した各色の動作マージンとを比較すると、白色画素Ａ４の動作マージンと、最も動作マージンの狭い青色の画素Ａ３の動作マージンとの差は、１．９Ｖから１．７３Ｖへと、更に小さくなっている。よって、第３の実施の形態は、第２の実施の形態よりも更に好適に消費電力を低減することができる。
【００６３】
また、白色以外の画素Ａ１〜Ａ３の動作マージンが広がることによって精度よく、安定して有機ＥＬ素子ＯＥＬを発光させることができる。また、第３の実施の形態においても、各色ごとに画素の開口面積を変えているので、表示装置１０の寿命を延ばすことができることは、第２の実施の形態で説明したとおりである。
【００６４】
＜第４の実施の形態＞
本発明の第４の実施の形態について説明する。第１から第３の実施の形態では、白色以外の画素Ａ１〜Ａ３の駆動ＴＦＴ２の電流駆動能力を全て等しく設定したが、第４の実施の形態においては、各色ごとに駆動ＴＦＴ２の電流駆動能力を異ならせる。なお、第１の実施の形態と同一の構成要素については、同様の記号を用いて説明する。
【００６５】
上述したように、駆動ＴＦＴ２のチャネル幅Ｗを大きくしたり、チャネル長Ｌを小さくすることによって駆動ＴＦＴ２の電流駆動能力を大きくすると、ピンチオフ電圧Ｖｐの絶対値が小さくなるために各色の画素の動作マージンの差を小さくすることができるが、チャネル幅Ｗを大きくしすぎると、駆動ＴＦＴ２の面積増大につながり、画素の開口面積が減少するため望ましくない。また、チャネル長Ｌを小さくしすぎることは、駆動ＴＦＴ２のＩ−Ｖ特性曲線において、飽和電流Ｉｄｓｓが不安定になることにつながる。
【００６６】
したがって、第４の実施の形態においては、最も動作マージンの狭い色の画素については動作マージンを広げるために駆動ＴＦＴ２のチャネル幅Ｗを大きくし、チャネル長Ｌを小さく設定するが、その他の色については、動作マージンが最も狭い色を下回らない限りでチャネル幅Ｗを小さくし、チャネル長Ｌを大きく設定する。
【００６７】
第４の実施の形態の１例を具体的に数値を設定して示す。図１１は、第４の実施の形態に係る駆動ＴＦＴ２のＩ−Ｖ特性曲線と有機ＥＬ素子ＯＥＬのＩ−Ｖ特性曲線を示す図である。各色の画素の開口面積比は、第２、第３の実施の形態と同様に、赤：緑：青：白＝５．３：１．９：１：４．４と設定した。また、赤の画素Ａ１の駆動ＴＦＴ２を、チャネル長Ｌ＝４０μｍ、チャネル幅Ｗ＝５μｍと設定し、緑の画素Ａ２の駆動ＴＦＴ２を、チャネル長Ｌ＝４０μｍ、チャネル幅Ｗ＝５μｍと設定し、青の画素Ａ３の駆動ＴＦＴ２を、チャネル長Ｌ＝２５μｍ、チャネル幅Ｗ＝１０μｍと設定し、白色の画素Ａ４の駆動ＴＦＴ２を、チャネル長Ｌ＝５０μｍ、チャネル幅Ｗ＝４μｍと設定した。
【００６８】
図１１において、曲線８８は赤色の画素Ａ１の有機ＥＬ素子ＯＥＬのＩ−Ｖ特性曲線、曲線９２は緑色の画素Ａ２の有機ＥＬ素子ＯＥＬのＩ−Ｖ特性曲線、曲線９４は青色の画素Ａ３の有機ＥＬ素子ＯＥＬのＩ−Ｖ特性曲線、曲線９０は白色の画素Ａ４の有機ＥＬ素子ＯＥＬのＩ−Ｖ特性曲線である。画素の開口面積比は図８〜図１０で示した例と同じため、図８〜図１０と同一のＩ−Ｖ特性曲線となっている。
【００６９】
曲線１６０は、赤色の画素Ａ１の駆動ＴＦＴ２のＩ−Ｖ特性曲線、曲線１６２は、緑色の画素Ａ２の駆動ＴＦＴ２のＩ−Ｖ特性曲線、曲線１６４は、青色の画素Ａ３の駆動ＴＦＴ２のＩ−Ｖ特性曲線である。曲線１００は、白色の画素Ａ４の駆動ＴＦＴ２のＩ−Ｖ特性曲線であるが、駆動ＴＦＴ２の電流駆動能力が図８〜図１０で示した例と同じため、図８〜図１０と同一のＩ−Ｖ特性曲線となっている。曲線８８と曲線１６０の交点が赤色の画素Ａ１の動作点１６８、曲線９２と曲線１６２の交点が緑色の画素Ａ２の動作点１７２、曲線９４と曲線１６４の交点が青色の画素Ａ３の動作点１７４、曲線９０と曲線１００の交点が白色の画素Ａ４の動作点１７０である。
【００７０】
図１１に示すように、赤色の画素Ａ１の動作マージンは、２．４Ｖ（Ｖｐ＝−２．７２Ｖ、Ｖｑ＝−５．１２Ｖ）、緑色の画素Ａ２の動作マージンは、２．４５Ｖ（Ｖｐ＝−２．１１Ｖ、Ｖｑ＝−４．５６Ｖ）、青色の画素Ａ３の動作マージンは、２．２７Ｖ（Ｖｐ＝−１．４Ｖ、Ｖｑ＝−３．６７Ｖ）、白色の画素Ａ４の動作マージンは、３．５４Ｖ（Ｖｐ＝−２．３７Ｖ、Ｖｑ＝−５．９１Ｖ）である。青色の画素Ａ３の動作マージンが最も狭く、白色の画素Ａ４の動作マージンとの差は、１．２７Ｖである。
【００７１】
図１１に示した各色の動作マージンと図１０に示した各色の動作マージンとを比較すると、白色画素Ａ４の動作マージンと、最も動作マージンの狭い青色の画素Ａ３の動作マージンとの差は、１．７３Ｖから１．２７Ｖへと、更に小さくなっている。また、赤色と緑色の画素Ａ１、Ａ２の動作マージンについては、駆動ＴＦＴ２の電流駆動能力を小さくしたため、第３の実施例の場合と比較して動作マージンは狭くなっているが、青色よりも広い動作マージンを確保できているので、表示装置１０全体としての動作マージンは改善している。よって、第４の実施の形態においても、消費電力を低減することができる。
【００７２】
また、各色ごとに駆動ＴＦＴ２の電流駆動能力を異ならせることによって、動作マージンを大きくする必要のない色の画素については、開口面積を大きくとることができ、また、駆動ＴＦＴ２の飽和電流を安定化させることができる。
【００７３】
＜第５の実施の形態＞
本発明の第５の実施の形態について説明する。第５の実施の形態では、各色の画素の開口面積比が、第２から第４の実施の形態と異なり、白色の画素Ａ４の開口面積が、白色以外の画素Ａ１〜Ａ３の開口面積よりも大きくなるように設定する。これは、風景写真や人物写真のような任意の自然画を複数表示させた場合、白色の画素の使用頻度が最も高いからである。最も使用頻度が高い白色の画素の開口面積を他の色の画素よりも大きく設定することによって、白色の画素に流れる電流を低下させることができ、白色の画素の寿命を延ばすことができる。
【００７４】
第５の実施の形態の１例を具体的に数値を設定して示す。図１２は、第５の実施の形態に係る駆動ＴＦＴ２のＩ−Ｖ特性曲線と有機ＥＬ素子ＯＥＬのＩ−Ｖ特性曲線を示す図である。各色の画素の開口面積比は、白色の画素Ａ４の開口面積が最も大きくなるように、赤：緑：青：白＝２．７：１．７：１：２．９と設定した。また、白色以外の画素Ａ１〜Ａ３の駆動ＴＦＴ２を、チャネル長Ｌ＝３５μｍ、チャネル幅Ｗ＝７μｍと設定し、白色の画素Ａ４の駆動ＴＦＴ２を、チャネル長Ｌ＝５０μｍ、チャネル幅Ｗ＝４μｍと設定した。
【００７５】
図１２において、曲線１７８は赤色の画素Ａ１の有機ＥＬ素子ＯＥＬのＩ−Ｖ特性曲線、曲線１８０は緑色の画素Ａ２の有機ＥＬ素子ＯＥＬのＩ−Ｖ特性曲線、曲線１８２は青色の画素Ａ３の有機ＥＬ素子ＯＥＬのＩ−Ｖ特性曲線、曲線１７６は白色の画素Ａ４の有機ＥＬ素子ＯＥＬのＩ−Ｖ特性曲線である。
【００７６】
曲線１８４は、赤色の画素Ａ１の駆動ＴＦＴ２のＩ−Ｖ特性曲線、曲線１８６は、緑色
と青色の画素Ａ２、Ａ３の駆動ＴＦＴ２のＩ−Ｖ特性曲線、曲線１８８は、白色の画素Ａ４の駆動ＴＦＴ２のＩ−Ｖ特性曲線である。曲線１７８と曲線１８４の交点が赤色の画素Ａ１の動作点１９０、曲線１８０と曲線１８６の交点が緑色の画素Ａ２の動作点１９４、曲線１８２と曲線１８６の交点が青色の画素Ａ３の動作点１９６、曲線１７６と曲線１８８の交点が白色の画素Ａ４の動作点１９２である。
【００７７】
図１２に示すように、赤色の画素Ａ１の動作マージンは、２．４７Ｖ（Ｖｐ＝−２．２７Ｖ、Ｖｑ＝−４．７４Ｖ）、緑色の画素Ａ２の動作マージンは、３．１８Ｖ（Ｖｐ＝−１．８Ｖ、Ｖｑ＝−４．９８Ｖ）、青色の画素Ａ３の動作マージンは、２．４３Ｖ（Ｖｐ＝−１．８Ｖ、Ｖｑ＝−４．２３Ｖ）、白色の画素Ａ４の動作マージンは、３．５４Ｖ（Ｖｐ＝−２．３７Ｖ、Ｖｑ＝−５．９１Ｖ）である。青色の画素Ａ３の動作マージンが最も狭く、白色の画素Ａ４の動作マージンとの差は、１．１１Ｖである。
【００７８】
動作マージンの改善効果を示すために、各色の画素Ａ１〜Ａ４の駆動ＴＦＴ２の電流駆動能力を全て等しく設定した場合（比較例３とよぶ）について示す。図１３は、比較例３の駆動ＴＦＴ２のＩ−Ｖ特性曲線と有機ＥＬ素子ＯＥＬのＩ−Ｖ特性曲線を示す図である。比較例３では、各色の画素Ａ１〜Ａ４の駆動ＴＦＴ２を、チャネル長Ｌを５０μｍ、チャネル幅Ｗを４μｍと設定している。各色の画素の開口面積比は、赤：緑：青：白＝２．７：１．７：１：２．９である。
【００７９】
図１３において、曲線１７８は赤色の画素Ａ１の有機ＥＬ素子ＯＥＬのＩ−Ｖ特性曲線、曲線１８０は緑色の画素Ａ２の有機ＥＬ素子ＯＥＬのＩ−Ｖ特性曲線、曲線１８２は青色の画素Ａ３の有機ＥＬ素子ＯＥＬのＩ−Ｖ特性曲線、曲線１７６は白色の画素Ａ４の有機ＥＬ素子ＯＥＬのＩ−Ｖ特性曲線である。画素の開口面積比は図１２で示した例と同じため、図１２と同一のＩ−Ｖ特性曲線となっている。
【００８０】
曲線２０６は、赤色の画素Ａ１の駆動ＴＦＴ２のＩ−Ｖ特性曲線、曲線２０８は、緑色と青色の画素Ａ２、Ａ３の駆動ＴＦＴ２のＩ−Ｖ特性曲線である。曲線１８８は、白色の画素Ａ４の駆動ＴＦＴ２のＩ−Ｖ特性曲線であるが、駆動ＴＦＴ２の電流駆動能力が図１２で示した例と同じため、図１２と同一のＩ−Ｖ特性曲線となっている。曲線１７８と曲線２０６の交点が赤色の画素Ａ１の動作点２１２、曲線１８０と曲線２０８の交点が緑色の画素Ａ２の動作点２１６、曲線１８２と曲線２０８の交点が青色の画素Ａ３の動作点２１８、曲線１７６と曲線１８８の交点が白色の画素Ａ４の動作点２１４である。
【００８１】
図１３に示すように、赤色の画素Ａ１の動作マージンは、１．５３Ｖ（Ｖｐ＝−３．２７Ｖ、Ｖｑ＝−４．８Ｖ）、緑色の画素Ａ２の動作マージンは、２．５３Ｖ（Ｖｐ＝−２．４８Ｖ、Ｖｑ＝−５．０１Ｖ）、青色の画素Ａ３の動作マージンは、１．７７Ｖ（Ｖｐ＝−２．４８Ｖ、Ｖｑ＝−４．２５Ｖ）、白色の画素Ａ４の動作マージンは、３．５４Ｖ（Ｖｐ＝−２．３７Ｖ、Ｖｑ＝−５．９１Ｖ）である。赤色の画素Ａ３動作マージンが最も狭く、白色の画素Ａ４の動作マージンとの差は、２．０１Ｖである。
【００８２】
図１２に示した各色の動作マージンと図１３に示した各色の動作マージンとを比較すると、白色画素Ａ４の動作マージンと、白色以外の画素Ａ１〜Ａ３の中で最も狭い動作マージンとの差は、２．０１Ｖから１．１１Ｖに小さくなっている。
【００８３】
以上のように、第５の実施の形態においても、白色以外の画素Ａ１〜Ａ３の駆動ＴＦＴ２の電流駆動能力を白色の画素Ａ４の駆動ＴＦＴ２の電流駆動能力よりも大きくすることによって、動作マージンが広がり、白色の画素Ａ４と白色以外の画素Ａ１〜Ａ３との間で動作マージンの差が小さくなる。その結果、動作マージンが狭かったために駆動電圧（Ｖｄｄ−ＣＶ）を高く設定する必要がなくなり、低消費電力化に有効である。
【００８４】
また、動作マージンが広がることによって精度よく、安定して有機ＥＬ素子ＯＥＬを発光させることができる。また、最も使用頻度が高い白色の画素の開口面積を他の色の画素よりも大きく設定しているので、白色の画素に流れる電流を低下させることができ、白色の画素の寿命を延ばすことができる。すなわち、画素の寿命が平滑化され、表示装置１０の寿命を延ばすことができる。
【００８５】
＜第６の実施の形態＞
本発明の第６の実施の形態について説明する。第５の実施の形態では、白色の画素Ａ４の開口面積を、白色以外の画素Ａ１〜Ａ３の開口面積よりも大きく設定した状態で、白色以外の画素Ａ１〜Ａ３の駆動ＴＦＴ２の電流駆動能力を全て等しく設定したが、第６の実施の形態においては、各色ごとに駆動ＴＦＴ２の電流駆動能力を異ならせて設定する。
【００８６】
第６の実施の形態の１例を具体的に数値を設定して示す。図１４は、第６の実施の形態に係る駆動ＴＦＴ２のＩ−Ｖ特性曲線と有機ＥＬ素子ＯＥＬのＩ−Ｖ特性曲線を示す図である。各色の画素の開口面積比は、第５の実施の形態と同様に、赤：緑：青：白＝２．７：１．７：１：２．９と設定した。また、赤色と青色の画素Ａ１、Ａ３の駆動ＴＦＴ２を、チャネル長Ｌ＝３０μｍ、チャネル幅Ｗ＝８μｍと設定し、緑色の画素Ａ２の駆動ＴＦＴ２を、チャネル長Ｌ＝３５μｍ、チャネル幅Ｗ＝７μｍと設定し、白色の画素Ａ４の駆動ＴＦＴ２を、チャネル長Ｌ＝５０μｍ、チャネル幅Ｗ＝４μｍと設定した。
【００８７】
図１４において、曲線１７８は赤色の画素Ａ１の有機ＥＬ素子ＯＥＬのＩ−Ｖ特性曲線、曲線１８０は緑色の画素Ａ２の有機ＥＬ素子ＯＥＬのＩ−Ｖ特性曲線、曲線１８２は青色の画素Ａ３の有機ＥＬ素子ＯＥＬのＩ−Ｖ特性曲線、曲線１７６は白色の画素Ａ４の有機ＥＬ素子ＯＥＬのＩ−Ｖ特性曲線である。画素の開口面積比は図１２、図１３で示した例と同じため、図１２、図１３と同一のＩ−Ｖ特性曲線となっている。
【００８８】
曲線１７８は、赤色の画素Ａ１の駆動ＴＦＴ２のＩ−Ｖ特性曲線、曲線２３０は、緑色
の画素Ａ２の駆動ＴＦＴ２のＩ−Ｖ特性曲線、曲線２３２は、青色の画素Ａ３の駆動ＴＦＴ２のＩ−Ｖ特性曲線である。曲線１８８は、白色の画素Ａ４の駆動ＴＦＴ２のＩ−Ｖ特性曲線であるが、駆動ＴＦＴ２の電流駆動能力が図１２、図１３で示した例と同じため、図１２、図１３と同一のＩ−Ｖ特性曲線となっている。曲線１７８と曲線１７８の交点が赤色の画素Ａ１の動作点２３６、曲線１８０と曲線２３０の交点が緑色の画素Ａ２の動作点２４０、曲線１８２と曲線２３２の交点が青色の画素Ａ３の動作点２４２、曲線１７６と曲線１８８の交点が白色の画素Ａ４の動作点２３８である。
【００８９】
図１４に示すように、赤色の画素Ａ１の動作マージンは、２．８２Ｖ（Ｖｐ＝−１．９７Ｖ、Ｖｑ＝−４．７９Ｖ）、緑色の画素Ａ２の動作マージンは、３．１８Ｖ（Ｖｐ＝−１．８Ｖ、Ｖｑ＝−４．９８Ｖ）、青色の画素Ａ３の動作マージンは、２．７３Ｖ（Ｖｐ＝−１．５７Ｖ、Ｖｑ＝−４．３Ｖ）、白色の画素Ａ４の動作マージンは、３．５４Ｖ（Ｖｐ＝−２．３７Ｖ、Ｖｑ＝−５．９１Ｖ）である。青色の画素Ａ３の動作マージンが最も狭く、白色の画素Ａ４の動作マージンとの差は、０．８１Ｖである。
【００９０】
図１４に示した各色の動作マージンと図１３に示した各色の動作マージンとを比較すると、白色画素Ａ４の動作マージンと、最も動作マージンの狭い青色の画素Ａ３の動作マージンとの差は、１．１１Ｖから０．８１Ｖへと、更に小さくなっている。よって、第６の実施の形態においては、各色の画素の動作マージンの差を小さくすることによって、更に好適に表示装置１０の消費電力を低減することができる。
【００９１】
また、図１２に示した例において赤色と青色の画素Ａ１、Ａ３と比べて広い動作マージンを確保できていた緑色の画素Ａ２については、駆動ＴＦＴ２のサイズを変えないので、必要以上に画素の開口面積を減らすことを防ぐことができる。
【００９２】
以上の第１から第６の実施の形態においては、白色の画素を含んだ表示装置について説明したが、複数の表示色の画素を含んだ表示装置であれば、本発明を適用することができる。各色の発光効率が、有機ＥＬ素子の発光特性や、カラーフィルタの透過特性によって変化すると、動作マージンが最も狭くなる色も異なる場合がある。この場合においても、各色の画素の動作マージンの差が小さくなるように、駆動ＴＦＴ２の電流駆動能力を設定することによって、消費電力を低減することができる。
【００９３】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【図面の簡単な説明】
【００９４】
【図１】図１（ａ）は、ＴＦＴを用いた有機ＥＬ素子ＯＥＬの駆動回路を示す図であり、図１（ｂ）は、ＴＦＴのＩ−Ｖ特性曲線と、有機ＥＬ素子ＯＥＬのＩ−Ｖ特性曲線を示す図である。
【図２】第１の実施の形態に係る表示装置の画素レイアウトを示す図である。
【図３】図２に示した表示装置における１つの画素Ａ１、Ａ２、Ａ３、及びＡ４の等価回路図である。
【図４】第１の実施の形態に係る表示装置の断面を模式的に示す図である。
【図５】図５（ａ）は、駆動ＴＦＴの構造を模式的に示す平面図であり、図５（ｂ）は、駆動ＴＦＴ２の構造を模式的に示す図である。
【図６】第１の実施の形態に係る駆動ＴＦＴのＩ−Ｖ特性曲線と有機ＥＬ素子ＯＥＬのＩ−Ｖ特性曲線を示す図である。
【図７】比較例１の駆動ＴＦＴのＩ−Ｖ特性曲線と有機ＥＬ素子ＯＥＬのＩ−Ｖ特性曲線を示す図である。
【図８】第２の実施の形態に係る駆動ＴＦＴのＩ−Ｖ特性曲線と有機ＥＬ素子ＯＥＬのＩ−Ｖ特性曲線を示す図である。
【図９】比較例２の駆動ＴＦＴのＩ−Ｖ特性曲線と有機ＥＬ素子ＯＥＬのＩ−Ｖ特性曲線を示す図である。
【図１０】第３の実施の形態に係る駆動ＴＦＴのＩ−Ｖ特性曲線と有機ＥＬ素子ＯＥＬのＩ−Ｖ特性曲線を示す図である。
【図１１】第４の実施の形態に係る駆動ＴＦＴのＩ−Ｖ特性曲線と有機ＥＬ素子ＯＥＬのＩ−Ｖ特性曲線を示す図である。
【図１２】第５の実施の形態に係る駆動ＴＦＴのＩ−Ｖ特性曲線と有機ＥＬ素子ＯＥＬのＩ−Ｖ特性曲線を示す図である。
【図１３】比較例３の駆動ＴＦＴのＩ−Ｖ特性曲線と有機ＥＬ素子ＯＥＬのＩ−Ｖ特性曲線を示す図である。
【図１４】第６の実施の形態に係る駆動ＴＦＴのＩ−Ｖ特性曲線と有機ＥＬ素子ＯＥＬのＩ−Ｖ特性曲線を示す図である。
【符号の説明】
【００９５】
１  スイッチングＴＦＴ、２  駆動ＴＦＴ、１０  表示装置、１６  カラーフィルタ、１７  有機ＥＬ発光層、Ａ１，Ａ２，Ａ３，Ａ４  画素、ＤＬ  データ線、ＯＥＬ  有機ＥＬ素子、ＰＶＤＤ  電源供給線、ＳＣ  保持容量、ＳＬ  ゲート線。
【図１】
2006308796.tif 000003
【図２】
2006308796.tif 000004
【図３】
2006308796.tif 000005
【図４】
2006308796.tif 000006
【図５】
2006308796.tif 000007
【図６】
2006308796.tif 000008
【図７】
2006308796.tif 000009
【図８】
2006308796.tif 000010
【図９】
2006308796.tif 000011
【図１０】
2006308796.tif 000012
【図１１】
2006308796.tif 000013
【図１２】
2006308796.tif 000014
【図１３】
2006308796.tif 000015
【図１４】
2006308796.tif 000016